(57)【要約】【課題】設定用インターフェースを持たない簡易な機器において、機器の所有者を特定する手段を提供する。【解決手段】設定用パソコンから、ユーザ識別情報を入力し、設定サーバにログインしたとき、その接続において経由したルータのＩＰアドレスと、機器が設定サーバに接続したときに経由したルータのＩＰアドレスが一致した場合、ログインしたユーザが、機器の所有者であるとする。もしくは、設定用パソコンから、ユーザ識別情報を用いて、設定サーバにログインしたとき、設定サーバが、設定用パソコンのＩＰアドレスからネットワークアドレス部を取得、保持する。一方で、機器が接続したとき、設定サーバは、機器のＩＰアドレスのネットワークアドレス部を取得し、保持していたネットワークアドレス部と一致した場合、ログインしたユーザが、機器の所有者であるとする。【選択図】図１
2005173865.tif 000002
【特許請求の範囲】
【請求項１】
機器を設定するための機器設定システムであって、
ユーザ情報は、ユーザ識別情報とネットワーク識別情報とを関連づけられた情報であり、機器情報は、機器識別情報とユーザ識別情報とを関連づけられた情報であり、
前記ユーザ情報と前記機器情報を記憶する設定記憶部と、
前記機器識別情報を設定管理部に通知する前記機器と、
前記機器から前記設定管理部への通知に前記ネットワーク識別情報を付加する付加部と、
受け取った前記ネットワーク識別情報と同一の前記ネットワーク識別情報を有する前記ユーザ情報を前記設定記憶部から取得し、取得した前記ユーザ情報にある前記ユーザ識別情報と、前記機器から受け取った前記機器識別情報を関連づけて前記機器情報として、前記設定記憶部に記憶させる前記設定管理部と、からなることを特徴とする機器設定システム。
【請求項２】
前記ネットワーク識別情報が、ネットワーク同士を中継する装置のＩＰアドレスであることを特徴とする請求項１記載の機器設定システム。
【請求項３】
前記ネットワーク識別情報が、ＩＰｖ６で定義されるＩＰアドレスのネットワークアドレス部であることを特徴とする請求項１記載の機器設定システム。
【請求項４】
前記機器は、ネットワークに接続されたときに、前記機器識別情報を前記設定管理部に通知することを特徴とする請求項１記載の機器設定システム。
【請求項５】
前記機器は、定期的に前記機器識別情報を前記設定管理部に通知することを特徴とする請求項１記載の機器設定システム。
【請求項６】
前記機器は、ユーザの指示を受けたときに、前記機器識別情報を前記設定管理部に通知することを特徴とする請求項１記載の機器設定システム。
【請求項７】
前記機器において、ユーザからの指示を受けると、前記設定管理部に前記機器識別情報とともに、ユーザの指示を通知し、前記設定管理部は、受け取った前記機器識別情報と同一の前記機器識別情報を有する前記設定記憶部に記憶された前記機器情報を無効にすることを特徴とする請求項１記載の機器設定システム。
【請求項８】
設定端末は、ユーザから前記ユーザ識別情報を受理すると、前記ユーザ識別情報の受理を前記設定管理部に通知し、前記付加部は、前記設定端末から前記設定管理部への通知に前記ネットワーク識別情報を付加し、前記設定管理部は、受け取った前記ユーザ識別情報と受け取った前記ネットワーク識別情報を関連付けて前記ユーザ情報として、前記設定記憶部に記憶させることを特徴とする請求項１記載の機器設定システム。
【請求項９】
前記設定記憶部は、前記ユーザ識別情報に関連付けられたユーザ設定情報を記憶しており、前記設定管理部は、前記機器情報を前記設定記憶部に記憶させるときに、前記設定記憶部に記憶させた前記ユーザ識別情報に関連付けられて記憶されている前記ユーザ設定情報を参照して、前記機器設定情報を生成することを特徴とする請求項１記載の機器設定システム。
【請求項１０】
前記設定記憶部は、前記機器識別情報に関連付けられた機器設定情報を記憶しており、前記設定管理部は、前記機器情報を前記設定記憶部に記憶させたときに、前記ユーザ識別情報で記憶されている前記機器情報に記載の前記機器識別情報を取得し、取得した前記機器識別情報と同一の前記機器識別情報に関連付けられている前記機器設定情報を参照して、前記機器設定情報を生成することを特徴とする請求項１記載の機器設定システム。
【請求項１１】
前記設定管理部は、生成した前記機器設定情報を前記設定記憶部に記憶させることを特徴とする請求項９または請求項１０記載の機器設定システム。
【請求項１２】
前記設定管理部は、生成した前記機器設定情報を前記機器に通知し、前記機器は、受け取った前記機器設定情報を記憶することを特徴とする請求項９または請求項１０記載の機器設定システム。
【請求項１３】
前記機器識別情報と、前記ユーザ識別情報に追加して、設定可否情報を関連付けて、前記機器情報とし、前記設定可否情報によって、前記機器設定情報を生成することや、生成しないことを特徴とする請求項９または請求項１０記載の機器設定システム。
【請求項１４】
前記設定端末は、前記機器識別情報毎に前記設定可否情報を指定することができ、前記設定管理部は、指定された前記設定可否情報で更新した前記機器情報を前記設定記憶部に記憶させることを特徴とする請求項１３記載の機器設定システム。
【請求項１５】
前記設定管理部が、前記設定端末から前記ユーザ識別情報を受理している状態で、前記機器は、前記機器識別情報を前記設定管理部に通知することを特徴とする請求項８記載の機器設定システム。
【請求項１６】
前記付加部は、管理している前記ネットワーク識別情報が更新されると、前記設定管理部に、更新される前の前記ネットワーク識別情報と、更新された前記ネットワーク識別情報を通知し、前記設定管理部は、更新される前の前記ネットワーク識別情報と同じ前記ネットワーク識別情報を有し、前記設定記憶部に記憶された前記ユーザ情報の前記ネットワーク識別情報を更新された前記ネットワーク識別情報で更新し、前記設定記憶部に記憶させることを特徴とする請求項１記載の機器設定システム。
【請求項１７】
前記機器識別情報と、前記ユーザ識別情報に追加して、システムの状態や、機器の状態を示す機器状態情報を関連付けて、前記機器情報として前記設定記憶部が記憶して、前記設定管理部が前記設定記憶部に記憶された前記機器状態情報をユーザに通知することを特徴とする請求項１記載の機器設定システム。
【請求項１８】
前記機器識別情報と、前記ユーザ識別情報に追加して、システムの状態や、機器の状態を示す機器状態情報を関連付けて、前記機器情報として前記設定記憶部が記憶して、前記設定管理部が前記設定記憶部に記憶された前記機器状態情報を前記機器に通知し、前記機器は、前記機器状態情報をユーザに通知することを特徴とする請求項１記載の機器設定システム。
【請求項１９】
機器の設定を実現するための機器設定システムであって、ユーザ識別情報を前記機器に通知するユーザ管理部と、
機器識別情報と前記ユーザ識別情報とを関連づけた機器情報を記憶する設定記憶部と、
前記ユーザ管理部から前記ユーザ識別情報を取得し、前記ユーザ識別情報と、前記機器識別情報を設定管理部に通知する前記機器と、
前記機器から受け取った前記ユーザ識別情報と、前記機器から受け取った前記機器識別情報を関連づけて前記機器情報として、前記設定記憶部に記憶させる設定管理部と、からなる機器設定システム。
【請求項２０】
機器を設定するための機器設定システムであって、機器識別情報とユーザ識別情報とを関連づけた機器情報を記憶する設定記憶部と、
前記機器識別情報を設定管理部へ通知し、前記機器識別情報を提示する前記機器と、
前記ユーザ識別情報と、前記機器識別情報を受け取って、前記設定管理部に通知する設定入力部と、
前記設定入力部から受け取った前記機器識別情報と同一の前記機器識別情報を通知する前記機器の機器状態を取得して、前記機器識別情報と、受け取った前記ユーザ識別情報を関連づけて前記機器情報として、前記設定記憶部に記憶させる前記設定管理部と、からなることを特徴とする機器設定システム。
【請求項２１】
前記機器状態は、前記機器の接続や、前記機器の切断や、１ないし複数の入力指示や、もしくは、これらの組合せ操作や、前記組合せ操作の順序と時間関係を定めたものであることを特徴する請求項２０記載の機器設定システム。
【請求項２２】
前記機器は、ユーザに前記機器識別情報を通知し、前記ユーザは、前記設定入力部に、前記ユーザ識別情報と、前記機器識別情報を入力することを特徴とする請求項２０記載の機器設定システム。
【請求項２３】
前記機器から前記機器識別情報を取得し、前記ユーザ識別情報と取得した機器識別情報を前記設定入力部に通知する取得設定装置を有することを特徴とする請求項２０記載の機器設定システム。
【請求項２４】
前記設定記憶部は、ユーザ識別情報に関連付けられたユーザ設定情報を記憶しており、前記設定管理部は、前記機器情報を前記設定記憶部に記憶させるときに、前記設定記憶部に記憶された前記ユーザ識別情報に関連付けられて記憶されている前記ユーザ設定情報を参照して、前記機器設定情報を生成することを特徴とする請求項２０記載の機器設定システム。
【請求項２５】
前記設定記憶部は、前記機器識別情報に関連付けられた機器設定情報を記憶しており、前記設定管理部は、前記機器情報を前記設定記憶部に記憶させたときに、記憶させた前記設定記憶部に記載された前記ユーザ識別情報と同一の前記ユーザ識別情報を有する前記設定記憶部に記憶された前記機器情報を取得し、取得した前記機器情報の前記機器識別情報に関連付けられて前記設定記憶部に記憶されている前記機器設定情報を参照して、前記機器設定情報を生成することを特徴とする請求項２０記載の機器設定システム。
【請求項２６】
前記設定管理部は、生成した前記機器設定情報を前記設定記憶部に記憶させることを特徴とする請求項２４または請求項２５記載の機器設定システム。
【請求項２７】
前記設定管理部は、生成した前記機器設定情報を前記機器に通知し、前記機器は、受け取った前記機器設定情報を記憶することを特徴とする請求項２４または請求項２５記載の機器設定システム。
【請求項２８】
前記設定入力部は、入力された複数の前記機器識別情報を前記設定管理部に通知し、
前記設定管理部は、複数の前記機器識別情報と前記ユーザ識別情報と関連付けて、複数の前記機器情報を生成することを特徴とする請求項２０記載の機器設定システム。
【請求項２９】
前記機器は前記機器識別情報を記憶して、前記機器が記憶している前記機器識別情報を前記設定管理部に通知すると、前記設定管理部は受け取った前記機器識別情報と同一の前記機器識別情報を有する前記設定記憶部に記憶された前記機器情報を取得し、取得した前記機器情報の前記機器識別情報を前記機器識別情報で更新し、前記機器情報を前記設定管理部に記憶させるとともに、前記機器に更新された前記機器識別情報を通知し、前記機器は、受け取った前記機器識別情報で記憶している前記機器識別情報を更新することを特徴とする請求項２０記載の機器設定システム。
【請求項３０】
前記設定管理部は、前記機器情報の記憶が完了したことを設定通知部に通知し、前記設定通知部は、ユーザに前記機器情報の記憶が完了したことを通知することを特徴とする請求項２０記載の機器設定システム。
【請求項３１】
前記設定管理部は、前記機器情報の前記設定記憶部への記憶が完了したことを前記機器に通知し、前記機器は、前記機器情報の記憶が完了したことを通知することを特徴とする請求項２０記載の機器設定システム。
【請求項３２】
複数の前記設定入力部から前記設定管理部に異なる前記ユーザ識別情報と同一の前記機器識別情報が複数回通知されると、前記設定管理部は、前記ユーザ識別情報を通知した２番目以降の前記設定入力部に、前記機器状態を変更させないように指示を出すことを特徴とする請求項２０記載の機器設定システム。
【請求項３３】
前記設定入力部に前記ユーザ識別情報を通知すると、前記設定管理部は、受け取った前記ユーザ識別情報と同一の前記ユーザ識別情報を有する前記設定記憶部に記憶された前記機器情報を取得し、取得した前記機器情報に記載された前記機器識別情報をリスト化して、前記設定入力部に表示させることを特徴とする請求項２０記載の機器設定システム。
【請求項３４】
前記機器識別情報と前記ユーザ識別情報に追加して、登録済み状態情報、もしくは、通知済み状態情報、もしくは、登録済み状態情報と通知済み状態情報の双方が関連付けてられる前記機器情報を特徴とする請求項２０記載の機器設定システム。
【請求項３５】
前記機器が、前記設定管理部に接続されると、前記機器設定情報が削除されることを特徴とする請求項２６記載の機器設定システム。
【請求項３６】
前記設定管理部は、前記機器から通知されると、前記設定記憶部に記憶された前記機器設定情報を削除することを特徴とする請求項２６記載の機器設定システム。
【請求項３７】
前記機器は、定期的に前記機器識別情報を前記設定管理部に通知することを特徴とする請求項２０記載の機器設定システム。
【請求項３８】
前記機器は、ユーザの指示を受けたときに、前記機器識別情報を前記設定管理部に通知することを特徴とする請求項２０記載の機器設定システム。
【請求項３９】
機器を設定するための機器設定方法であって、
ユーザ情報は、ユーザ識別情報とネットワーク識別情報とを関連づけられた情報であり、機器情報は、機器識別情報とユーザ識別情報とを関連づけられた情報であり、
前記ユーザ情報と前記機器情報を記憶する設定記憶手順と、
前記機器識別情報を設定管理手順に通知する前記手順と、
前記機器から前記設定管理手順への通知に前記ネットワーク識別情報を付加する付加手順と、
受け取った前記ネットワーク識別情報と同一の前記ネットワーク識別情報を有する前記ユーザ情報を前記設定記憶手順から取得し、取得した前記ユーザ情報にある前記ユーザ識別情報と、前記機器から受け取った前記機器識別情報を関連づけて前記機器情報として、前記設定記憶手順に記憶させる前記設定管理手順と、からなることを特徴とする機器設定方法。
【請求項４０】
機器を設定するための機器設定方法であって、機器識別情報とユーザ識別情報とを関連づけた機器情報を記憶する設定記憶手順と、
前記機器識別情報を設定管理手順へ通知し、前記機器識別情報を提示する前記機器と、
前記ユーザ識別情報と、前記機器識別情報を受け取って、前記設定管理手順に通知する設定入力手順と、
前記設定入力手順から受け取った前記機器識別情報と同一の前記機器識別情報を通知する前記機器の機器状態を取得して、前記機器識別情報と、受け取った前記ユーザ識別情報を関連づけて前記機器情報として、前記設定記憶手順に記憶させる前記設定管理手順と、からなることを特徴とする機器設定方法。
【請求項４１】
機器を設定するためのプログラム、またはプログラムを記録した記録媒体であって、
ユーザ情報は、ユーザ識別情報とネットワーク識別情報とを関連づけられた情報であり、機器情報は、機器識別情報とユーザ識別情報とを関連づけられた情報であり、
前記ユーザ情報と前記機器情報を記憶する設定記憶手段と、
前記機器識別情報を設定管理手段に通知する前記手段と、
前記機器から前記設定管理手段への通知に前記ネットワーク識別情報を付加する付加手段と、
受け取った前記ネットワーク識別情報と同一の前記ネットワーク識別情報を有する前記ユーザ情報を前記設定記憶手段から取得するステップと、取得した前記ユーザ情報にある前記ユーザ識別情報と、前記機器から受け取った前記機器識別情報を関連づけて前記機器情報を生成するステップと、前記設定記憶手段に記憶させるステップとからなる前記設定管理手段とからなるプログラム。
【請求項４２】
請求項４１記載のプログラムを記録した記録媒体。
【発明の詳細な説明】
【技術分野】
【０００１】
本発明は、ＬＡＮなどのネットワークに接続されるネット機器に係り、特に設定用インタ−フェスがなく、設定のためのＷｅｂサーバ機能を持たない簡易なネット機器の設定技術に関する。
【背景技術】
【０００２】
設定用のＨＴＭＬページを提供するＷｅｂサーバ機能、パソコンからアクセスして設定変更できる機能、機器に設定変更用のボタンや、情報提示用の画面などのＵＩ機能がなくて、ネットワーク接続された機器の設定を変更するには、次の方法がある。
【０００３】
（ａ）機器情報を管理する管理サーバに、ユーザが所有するパソコンなどリッチなユーザインターフェース機能のある端末からアクセスし、機器ＩＤと認証ＩＤを入力し、認証したのち、機器の設定情報を入力する。（ｂ）機器が管理サーバにアクセスし、ユーザが入力した設定情報を取得する。これらの（ａ），（ｂ）を実行することで、機器の設定を変更できる。しかし、本方法では、パソコンから管理サーバにアクセスしたときに、毎回、機器ＩＤと認証ＩＤを入力する煩雑な作業が必要であった。
【０００４】
この煩雑な作業の回避技術として以下の技術がある（例えば、非特許文献１）。ｃｏｏｋｉｅ機能を搭載したブラウザを実行し、あるＨＴＭＬサイトを表示した場合に、当サイトが表示する入力枠内に情報を入力すると、ｃｏｏｋｉｅ機能が、当サイトと入力情報を関連付けてパソコン内に記憶させる。そして、次回当サイトを表示したときに、以前入力した情報を対応する入力枠に表示させることが可能である。
【非特許文献１】ｃｏｏｋｉｅ機能（ＩＥＴＦ（Ｉｎｔｅｒｎｅｔ  Ｅｎｇｉｎｅｅｒｉｎｇ  Ｔａｓｋ  Ｆｏｒｃｅ）、“ＲＦＣ（Ｒｅｑｕｅｓｔ  ｆｏｒ  Ｃｏｍｍｅｎｔ）２１０９”、［ｏｎｌｉｎｅ］、１９９７年２月、ＩＥＴＦ、[平成１５年１２月１日検索]、インターネット＜URL：http://www.ietf.org/rfc/rfc2109.txt＞）
【発明の開示】
【発明が解決しようとする課題】
【０００５】
これらの方法では、パソコンで初めてあるサイトを表示した場合や、別のパソコンから当サイトを表示させた場合において、ユーザが一から情報を入力しなければならない煩雑な作業が必要であった。
【０００６】
そこで、本発明の目的は、上記の従来技術の問題点を解決し、ユーザに煩雑さを与えることなく、簡易な構成のネット機器の設定手段を提供することである。
【課題を解決するための手段】
【０００７】
上記の課題を解決するために、本発明の機器設定システムは、ユーザ識別情報とネットワーク識別情報とを関連づけられたユーザ情報と、機器識別情報とユーザ識別情報とを関連づけられた機器情報があり、前記ユーザ情報と前記機器情報を記憶する設定記憶部と、前記機器識別情報を設定管理部に通知する前記機器と、前記機器から前記設定管理部への通知に、ルータ装置のＩＰアドレスやＩＰｖ６のネットワークアドレス部などを前記ネットワーク識別情報として付加する付加部と、受け取った前記ネットワーク識別情報と同一の前記ネットワーク識別情報を有する前記ユーザ情報を、前記設定記憶部から取得し、取得した前記ユーザ情報にある前記ユーザ識別情報と、前記機器から受け取った前記機器識別情報を関連づけて前記機器情報として、前記設定記憶部に記憶させる前記設定管理部から構成される。
【０００８】
また、設定端末は、ユーザから前記ユーザ識別情報を受理すると、前記ユーザ識別情報の受理を前記設定管理部に通知し、前記付加部は、前記設定端末から前記設定管理部への通知に前記ネットワーク識別情報を付加し、前記設定管理部は、受け取った前記ユーザ識別情報と受け取った前記ネットワーク識別情報を関連付けて前記ユーザ情報として、前記設定記憶部に記憶させる。
【０００９】
また、前記設定管理部が、前記設定端末から前記ユーザ識別情報を受理している状態で、前記機器は、前記機器識別情報を前記設定管理部に通知する。
【００１０】
また、前記付加部は、管理している前記ネットワーク識別情報が更新されると、前記設定管理部に、更新される前の前記ネットワーク識別情報と、更新された前記ネットワーク識別情報を通知し、前記設定管理部は、更新される前の前記ネットワーク識別情報と同じ前記ネットワーク識別情報を有し、前記設定記憶部に記憶された前記ユーザ情報の前記ネットワーク識別情報を更新された前記ネットワーク識別情報で更新し、前記設定記憶部に記憶させる。
【００１１】
また、前記機器識別情報と、前記ユーザ識別情報に追加して、システムの状態や、機器の状態を示す機器状態情報を関連付けて、前記機器情報として前記設定記憶部が記憶して、前記設定管理部が前記設定記憶部に記憶された前記機器状態情報をユーザに通知する。
【００１２】
また、前記機器識別情報と、前記ユーザ識別情報に追加して、システムの状態や、機器の状態を示す機器状態情報を関連付けて、前記機器情報として前記設定記憶部が記憶して、前記設定管理部が前記設定記憶部に記憶された前記機器状態情報を前記機器に通知し、前記機器は、前記機器状態情報をユーザに通知する。
【発明の効果】
【００１３】
請求項１、請求項２、請求項３、請求項１９、請求項２０、請求項２１、請求項２２、請求項２３記載の発明によって、設定用Ｉ／Ｆを持たない簡素な構成の機器であっても、ユーザと機器を関連付けることで、ユーザはＰＣなどの入力装置を用いて、容易に機器を指定して、設定作業が容易になる。
【００１４】
請求項４、請求項５、請求項６記載の発明によって、機器はネットワークに接続したときや、定期的なタイミングや、ユーザの指定したときに、設定管理部に接続することで、接続するタイミングのバリエーションを抑える。
【００１５】
請求項７記載の発明により、機器の所有者の変更に対応できるようになる。
【００１６】
請求項８記載の発明により、ネットワーク識別情報とユーザ識別情報の関連付けが、自動で行える。
【００１７】
請求項９、請求項１０、請求項１１、請求項１２記載の発明により、機器の機器設定情報が自動で設定される。
【００１８】
請求項１３、請求項１４記載の発明により、ユーザ設定情報や、機器設定情報や、機器情報や、ユーザ情報などの、個人情報の漏洩を回避できる。
【００１９】
請求項１５、請求項１６記載の発明により、ルータなどが記憶、管理しているルータのネットワーク識別情報が更新されることに対処できる。
【００２０】
請求項１７、請求項１８記載の発明により、システムや機器の状態をユーザに通知することで、ユーザの設定作業の参考となる。
【００２１】
請求項２４、請求項２５、請求項２６、請求項２７記載の発明により、機器の機器設定情報が自動で設定される。
【００２２】
請求項２８記載の発明により、複数の機器について、まとめて設定ができる。
【００２３】
請求項２９記載の発明により、機器の所有者が変更したときに、機器識別情報を更新することが可能となる。
【００２４】
請求項３０、請求項３１記載の発明により、システムや機器の状態をユーザに通知することで、ユーザの設定作業の参考となる。
【００２５】
請求項３２記載の発明により、任意の機器識別情報を入力して、機器を設定しようとする悪意の人による成りすましを防ぐことができる。
【００２６】
請求項３３記載の発明により、ユーザ識別情報と関連付けられた機器識別情報を自動で、ユーザの設定画面に提示することで、ユーザは設定したい機器を容易に選択できる。
【００２７】
請求項３４記載の発明により、機器の設定状況を把握でき、ユーザの設定作業の参考となる。
【００２８】
請求項３５記載の発明により、機器による機器設定情報の取得が重複されることを回避できる。
【００２９】
請求項３６、請求項３７、請求項３８記載の発明により、機器はネットワークに接続したときや、定期的なタイミングや、ユーザの指定したときに、設定管理部に接続することで、接続するタイミングのバリエーションを抑える。
【発明を実施するための最良の形態】
【００３０】
以下、本発明の実施の形態について、図面を参照しながら、構成、処理内容、効果の順で説明する。
【００３１】
（実施の形態１）
図２を用いて、機器識別情報とユーザ識別情報を自動で関連付けて、登録する方法を説明する。はじめに構成を説明する。
【００３２】
図２において、機器１０は、付加部３０を経由して設定管理部５０と接続する接続処理部１２、設定管理部情報を記憶する設定管理部情報記憶部１４、機器識別情報を記憶する機器識別情報記憶部１６から構成される。なお、設定管理部情報とは、設定管理部のＵＲＬなどである。付加部３０は、機器１０と設定管理部５０と接続する付加処理部３２と、ネットワーク識別情報を記憶するネットワーク識別情報記憶部３４から構成される。機器１０の接続処理部１２は、設定管理部情報記憶部１４、機器識別情報記憶部１６と接続し、また、付加部３０を経由して、設定管理部５０に接続する。付加部３０は、ネットワーク識別情報記憶部３４と接続している。なお、付加部３０、もしくは付加部３０に相当する機能は、機器１０の内部にあってもいいし、ネットワーク上にあってもどちらでもよい。設定管理部５０は、付加部３０を経由して機器１０の接続処理部１２と接続し、設定記憶部７０とも接続する。設定記憶部７０は、図３で示したネットワーク識別情報とユーザ識別情報を関連付けたユーザ情報と、図４で示したユーザ識別情報と機器識別情報を関連付けた機器情報を記憶する。
【００３３】
次に、実施の形態１の処理を説明する。
【００３４】
（Ｓ１００）機器１０の接続処理部１２は、設定管理部情報記憶部１４に記憶している設定管理部情報を参照し、付加部３０を経由して設定管理部５０へ接続し、機器識別情報記憶部１６にある機器識別情報を通知する。
【００３５】
（Ｓ１０１）このとき、付加部３０の付加処理部３２は、通知情報に、ネットワーク識別情報記憶部３４に記憶されたネットワーク識別情報を付加する。
【００３６】
（Ｓ１０２）設定管理部５０は、受け取ったネットワーク識別情報と同じネットワーク識別情報で設定記憶部７０に記憶されたユーザ情報を取得し、取得したユーザ情報のユーザ識別情報と機器１０から受け取った機器識別情報を関連付けて機器情報として設定記憶部７０に記憶する。
【００３７】
なお、ユーザ識別情報と機器識別情報の関連付けは、機器１０が設定管理部５０に接続する都度更新して記憶してもよいし、初回だけ記憶してもよい。なお、設定管理部５０は、Ｗｅｂサーバ機能を持ったインターネットサーバなどである。また、設定記憶部７０は、ＤＢサーバのように、データを管理するサーバなどである。
【００３８】
なお、機器１０が設定管理部５０に機器識別情報を通知するタイミングは、ネットワークに接続されたときでもよいし、ネットワークに接続された状態で、定期的に設定管理部５０に通知してもよいし、機器１０にユーザの指示を受け付けるボタンなどのユーザ指示部があって、このユーザ指示部から、ユーザの指示を受け付けたときに、設定管理部５０に接続してもよい。
【００３９】
上記（Ｓ１００）〜（Ｓ１０２）の処理が行われたことで、ユーザが、機器１０とは異なるＰＣ端末などの設定機器で、設定管理部５０に接続し、ユーザ識別情報を入力してログインすると、設定管理部５０は、入力されたユーザ識別情報で設定記憶部７０に記憶されている機器情報を取得し、設定機器の設定ＵＩにユーザの所有機器リストを表示し、リストから選択するなどして、機器設定が容易にできる。
【００４０】
（実施の形態２）
次に、上記（Ｓ１００）〜（Ｓ１０２）で示したユーザ識別情報と機器識別情報の関連付けを、現在のＷＷＷ上で利用する場合の具体例として、ＡＤＳＬサービスなどで代表される家庭向けなどブロードバンド回線を接続したときに、宅内の複数のＰＣ端末を管理・接続するルータ装置を例として、図５を用いて説明する。
【００４１】
一般的にルータは、ローカルネットワークを構築するために用いられ、ローカルネットワークに接続しているローカルＰＣなどに対して、動的にローカルＩＰアドレスを割り当てたり、ローカルＰＣが静的に保持しているローカルＩＰアドレスを管理したりする。一方で、ＷＷＷネットワークに対しては、ネットワーク上の位置を一意に特定できるグローバルＩＰアドレスを保持する。ルータは、外部サーバに対してリクエストを通知するときに、グローバルＩＰアドレスを付加しており、リクエストを受けた外部サーバは、グローバルＩＰアドレス宛にレスポンスを返信する。
【００４２】
宅内のローカルＰＣから、外部サーバにリクエストを出す場合には、ルータが中継する。そのとき、ルータはローカルＩＰアドレスをグローバルＩＰアドレスで書き換え、さらに、ローカルＩＰアドレスを特定するために、ルータ内に設けているポート機構を利用して、ローカルＩＰアドレスに対応するポートを割り当てて、この割り当てたポート番号を管理しつつ、外部サーバに通知するリクエストにポート番号を付加する。
【００４３】
外部サーバは、返信されるレスポンスに、ポート番号も付加して返信することで、ルータは、レスポンスに記載されたポート番号から、対応するローカルＰＣを識別し、レスポンスをローカルＰＣに通知することで、ローカルＰＣは所望の返信を受けることができる。
【００４４】
このとき、ルータのグローバルＩＰアドレスをネットワーク識別情報と捉えることができる。設定管理部５０は、リクエスト中に記載されたルータのグローバルＩＰアドレスで設定記憶部７０に記憶されたユーザ情報から、ユーザ識別情報を取得し、機器識別情報と関連付けて、機器情報として、設定記憶部７０に記憶する。なお、ルータ以外でも、プロキシーサーバなどＧａｔｅｗａｙと呼ばれているネットワーク同士を中継する装置で、装置が保持しているＩＰアドレスで置換えてリクエストを発行することで、ルータと同効果が実現できる。
【００４５】
（実施の形態３）
次に、図２で示したユーザ識別情報と機器識別情報の関連付けを行う応用として、ＩＰｖ６で実現されるＩＰアドレスの割り当て技術での適応を説明する。
【００４６】
一般にＩＰｖ６技術では、１２８ｂｉｔのＩＰアドレス空間で、上位６４ｂｉｔをネットワークアドレスと呼び、インターネットサービスプロバイダ（以降、ＩＳＰと記す）などがネットワークアドレスを割り振る。下位６４ｂｉｔについては、ユーザが管理するネットワーク内のＰＣや機器に対して、ユーザが割り振って利用する。したがって、ユーザが管理するネットワーク内のＰＣや機器も、ＷＷＷネットワーク上で一意に特定することができる。
【００４７】
図６を用いて、ＩＰｖ６システムにおけるユーザ識別情報と機器識別情報を関連付ける方法について説明する。機器１０は、ＩＰアドレスｖ６対応のＩＰアドレスの上位６４ｂｉｔがネットワーク識別情報に相当する。なお、上位６４ｂｉｔとは一例であり、６４ｂｉｔに限定されるわけではない。
【００４８】
（Ｓ１１０）機器１０の接続処理部１２は、設定管理部情報記憶部１４の設定管理部情報を取得して、設定管理部５０に接続し、ＩＰアドレス記憶部１８のＩＰアドレスと、機器識別情報記憶部１６の機器識別情報を通知する。
【００４９】
（Ｓ１１１）設定管理部５０は、受け取ったＩＰアドレスのネットワークアドレス部を取得し、取得したネットワークアドレスで設定記憶部７０に登録されたユーザ情報からユーザ識別情報を取得して、受け取った機器識別情報と関連付けて機器情報として、設定記憶部７０に記憶させる。
【００５０】
なお、ネットワークアドレス部は、ネットワークを特定することが可能であるが、インターネットサービスを提供するＩＳＰは、ネットワークアドレス部に付加して、下位６４ｂｉｔのうち上位１２ｂｉｔを特定ユーザのために固定し、ＩＰアドレス１２８ｂｉｔ中の上位７６ｂｉｔをユーザ識別のためのＩＰアドレスとしてユーザに通知し、ユーザは受け取ったＩＰアドレスの下位５２ｂｉｔを割り振って利用できる。このとき、ネットワークアドレス部は、ＩＳＰを特定する情報となり、ネットワークを識別する情報としては、ネットワークアドレス部に、ＩＳＰが特定ユーザに対して付与した１２ｂｉｔのアドレスを付加したものとなる。本特許では、このネットワークアドレス部とＩＳＰがユーザに付与したアドレスを足したものもネットワーク識別情報と捉えたものとする。なお、ＩＳＰが割り振るユーザ識別のための情報は、１２ｂｉｔに限定されるわけではない。
【００５１】
上記（Ｓ１１０）〜（Ｓ１１１）の処理によって、ＩＰｖ６システム上で、ユーザ識別情報と機器識別情報の関連付けることができる。
【００５２】
（実施の形態４）
次に、機器１０の所有者が変更したときに、機器１０の設定情報を変更する方法について、図７を用いて説明する。
【００５３】
機器１０の設定情報変更のための構成は、図２に加えて、機器１０にユーザの指示を受け付けるユーザ指示受理部２０が追加される。ユーザ指示受理部２０は、機器１０の接続処理部１２に接続されている。
【００５４】
次に、機器１０の設定情報変更処理を説明する。
【００５５】
（Ｓ１２０）ユーザ指示受理部２０が、ユーザから指示を受けると、ユーザ指示受理を接続処理部１２に通知する。
【００５６】
（Ｓ１２１）接続処理部１２は、付加部３０を経由して、設定管理部５０にユーザ指示受理を通知する。
【００５７】
（Ｓ１２２）設定管理部５０は、ユーザ指示受理通知を受けると、付加部３０が付加したネットワーク識別情報と同一のネットワーク識別情報を持つ機器情報を、設定記憶部７０から削除したり、機器情報のなかのユーザ識別情報を削除したりするなど、機器の設定を無効にする。
【００５８】
上記（Ｓ１２０）〜（Ｓ１２２）の処理によって、機器１０の所有者が変更に対応することができる。
【００５９】
（実施の形態５）
これまでは、ユーザ識別情報とネットワーク識別情報が関連付けられたユーザ情報が設定管理部５０に記憶されていることを前提としていた。そこで、ユーザ情報を自動で設定記憶部に記憶させる方法について、図８を用いて説明する。
【００６０】
ユーザ情報を自動で記憶させるための構成は、図２に設定端末９０を追加したものである。設定端末９０は、接続処理部９２と設定入力部９４から構成される。
【００６１】
次に、ユーザ情報を自動で記憶させる処理を説明する。
【００６２】
（Ｓ１３０）ユーザは、設定端末９０の設定入力部９４から、ユーザ識別情報を入力して、設定管理部５０への接続を指示する。設定入力部９４は、指示があったことを設定端末９０の接続処理部９２に通知する。
【００６３】
（Ｓ１３１）設定端末９０の接続処理部９２は、付加部３０を経由して設定管理部５０に接続し、設定要求とユーザ識別情報を通知する。付加部３０の付加処理部３２は、ユーザ識別情報の通知情報にネットワーク識別情報を付加する。
【００６４】
（Ｓ１３２）設定管理部５０は、ネットワーク識別情報とユーザ識別情報を関連付けてユーザ情報として設定記憶部７０に記憶させる。
【００６５】
また、ＩＰｖ６が動作するネットワーク上で、ユーザ情報を自動で記憶させる方法について図９を用いて説明する。
【００６６】
設定端末９０には、ＩＰｖ６に準拠したＩＰアドレスが割り振られている。
【００６７】
（Ｓ１４０）ユーザが設定端末９０の設定入力部９４から、ユーザ識別情報を入力して、設定管理部５０への接続を指示する。
【００６８】
（Ｓ１４１）接続処理部９２は、設定管理部５０に接続し、設定端末９０のＩＰアドレス記憶部９６にあるＩＰアドレスを設定管理部５０に通知する。
【００６９】
（Ｓ１４２）設定管理部は、受信したＩＰアドレスのネットワークアドレス部を取得し、ユーザ識別情報と関連付けて、ユーザ情報として、設定記憶部に記憶させる。
【００７０】
上記（Ｓ１３０）〜（Ｓ１３２）、もしくは（Ｓ１４０）〜（Ｓ１４２）の処理によって、ユーザ識別情報とネットワーク識別情報を自動で関連付けて、記憶させることができる。
【００７１】
（実施の形態６）
上記説明では、機器１０が設定管理部５０に接続したときに、ユーザ識別情報と機器識別情報を関連付けて記憶させる方法を示しており、機器１０の設定のための作業を簡素化できるが、実際に機器１０を設定までは行っていない。そこで、自動で機器を設定する設定方法について説明する。
【００７２】
設定記憶部７０には、ユーザ識別情報に関連付けて記憶された郵便番号や生年月日などのユーザ設定情報が記憶されている。
【００７３】
このとき、機器１０が設定管理部５０に接続すると、上記の方法でユーザ識別情報と機器識別情報を関連付けるとともに、ユーザ識別情報に関連付けて記憶されたユーザ設定情報を参照して、機器設定を生成する。
【００７４】
別の方法としては、設定管理部５０に、設定がすでに完了した機器１０の設定情報である機器設定情報が、機器識別情報と関連付けて記憶されている。
【００７５】
このとき、新たな機器１０が設定管理部５０に接続すると、上記の方法でユーザ識別情報と機器識別情報を関連付けるとともに、ユーザ識別情報を用いて、他の機器情報から同ユーザが所有する機器１０の機器識別情報を取得し、取得した機器識別情報に関連付けて記憶された機器設定情報を参照して、新たな機器１０の機器設定情報として記憶させる。
【００７６】
なお、機器設定を記憶させる場所は、設定記憶部７０でもよいし、設定管理部５０が機器１０の接続処理部１２に機器設定情報を通知し、接続処理部１２が、機器設定情報を記憶する機器設定情報記憶部に登録する方法が考えられる。
【００７７】
上記の方法によって、機器１０を自動で設定できる。
【００７８】
（実施の形態７）
上記の自動で機器設定する方法では、同一ネットワーク内で悪意の人が持ち込んだ機器１０をネットワークに接続すると、同ネットワークの管理者であるユーザの個人情報が機器１０に自動で設定され、盗まれてしまう問題がある。そこで、悪意の人による情報漏洩の回避方法について、図１０と図１１を用いて説明する。
【００７９】
情報漏洩の回避のための構成は、設定記憶部７０が記憶している図１０に示した機器情報に対して、設定を取得してよいか、取得してはいけないかを示す設定可否情報が追加された構成となる。なお、設定可否情報の初期値は、ＹｅｓもしくはＮｏのどちらであってもよいし、どちらかに固定されていてもよい。
【００８０】
情報漏洩を回避する処理を説明する。
【００８１】
（Ｓ１５０）（Ｓ１００）〜（Ｓ１０２）を実行し、Ｓ１５１へ移る。
【００８２】
（Ｓ１５１）機器１０は機器設定の設定可否情報を確認する。設定可否情報がＹｅｓであれば、Ｓ１５２へ、Ｎｏであれば、Ｓ１５３へ移る。
【００８３】
（Ｓ１５２）（Ｓ１２０）〜（Ｓ１２２）を実行し、Ｓ１５３へ移る。
【００８４】
（Ｓ１５３）終了する。
【００８５】
上記（Ｓ１５０）〜（Ｓ１５３）の処理によって、情報漏洩を防ぐことができる。
【００８６】
（実施の形態８）
上記（Ｓ１５０）〜（Ｓ１５３）の方法では、設定可否情報は、設定記憶部７０が事前に記憶していることを前提としている。ここでは、図１２を用いて、設定可否情報を設定する方法を説明する。
【００８７】
はじめに、設定可否情報の設定のための構成は、図１２にあるように、図２に設定入力部１１０を追加したものである。設定入力部１１０は、ＰＣやＰＤＡや携帯電話のインターネット機能などにおいて、ブラウザなどの閲覧ソフトを動作して設定するアプリケーションであってもよいし、設定管理部の管理者が準備した応対システムによって、ユーザが電話することやＦＡＸを使って送信するなどして、オペレータにユーザの要求を通知し、オペレータが設定を入力するなどの方法であってもよい。
【００８８】
次に、設定可否情報の設定のための処理を説明する。
【００８９】
（Ｓ１６０）ユーザは設定入力部１１０に、機器識別情報と、ＹｅｓもしくはＮｏといった設定可否情報を通知する。
【００９０】
（Ｓ１６１）設定入力部１１０は、ユーザの通知した機器識別情報と同一の機器識別情報を有する設定記憶部７０に記憶された機器情報の設定可否情報をユーザの通知した設定可否情報に更新する。
【００９１】
上記（Ｓ１６０）〜（Ｓ１６１）の処理によって、設定可否情報の設定によって、ユーザは悪意の人が接続した機器１０への個人情報漏洩を回避することができる。
【００９２】
（実施の形態９）
これまで、ネットワーク識別情報が固定であることを前提としていた。設定記憶部７０に記憶されたユーザ情報のネットワーク識別情報は、記憶された時点の情報を保持していると、付加部３０で記憶されているネットワーク識別情報が変更されると、ユーザ識別情報を特定できなくなってしまう。実際に、ルータのＩＰアドレスや、ＩＰｖ６で割り振られるネットワークアドレス部は動的に変更されることがあり、現在普及しているＡＤＳＬのルータ装置に割り振られるＩＰアドレスは、利用状態でなければ１時間ごとに更新される。
【００９３】
はじめに、動的に変更するネットワーク識別情報のため、ユーザ識別情報と機器識別情報の関連付けが完了しない場合の対処法について、図８を用いて説明する。
【００９４】
（Ｓ１７０）図８において、ユーザは設定端末９０の設定入力部９４から設定管理部５０への接続を指示する。設定端末９０の接続処理部９２は、付加部３０を経由して、設定管理部５０にユーザ識別情報を通知する。このとき、付加部３０の付加処理部３２は、ユーザによる通知に、ネットワーク識別情報記憶部３４に記憶されたネットワーク識別情報を付加する。
【００９５】
（Ｓ１７１）設定管理部５０は、ユーザ識別情報とネットワーク識別情報を受け取り、受け取ったユーザ識別情報と同一のユーザ識別情報を有する設定記憶部７０に記憶されたユーザ情報を取得し、取得したユーザ情報のネットワーク識別情報を、受け取ったネットワーク識別情報で更新する。
【００９６】
（Ｓ１７２）（Ｓ１７１）の接続中に、機器１０の接続処理部１２は、付加部３０を経由して設定管理部５０に接続し、機器識別情報を通知する。このとき、付加部３０の付加処理部３２は、機器１０から設定管理部５０への通知に、ネットワーク識別情報を付加する。設定管理部５０は、機器識別情報とネットワーク識別情報を受け取り、受け取ったネットワーク識別情報と同一のネットワーク識別情報を有する設定記憶部７０に記憶されたユーザ情報を取得し、取得したユーザ情報のユーザ識別情報と受け取った機器識別情報と関連付けて、機器情報として、設定記憶部７０に記憶させる。
【００９７】
上記（Ｓ１７０）〜（Ｓ１７２）の処理によって、ネットワーク識別情報が動的に変更したときも、ユーザ識別情報と機器識別情報の関連付けることが可能となる。
【００９８】
（実施の形態１０）
上記の動的に変更するネットワーク識別情報への対応方法では、ユーザがユーザ識別情報を用いて、設定管理部５０に接続している間に、機器１０を接続させなければならないといった制限があった。そこで、ユーザによる設定管理部５０への接続と、機器１０の接続が個別に実行されても、動的に変更されるネットワーク識別情報に対応できる方法について、図１３を用いて説明する。
【００９９】
動的に変更されるネットワーク識別情報に対応するための構成は、図１３に示したように、図２にネットワーク識別情報管理部を追加したものである。ネットワーク識別情報管理部１３０は、接続処理を行う接続処理部１３２と、ネットワーク識別情報を生成するネットワーク識別情報発行部１３４からなる。なお、ネットワーク識別情報管理部１３０は、ＷＷＷネットワーク上にあってもよいし、ユーザが管理するローカルネットワーク内にあってもよい。
【０１００】
つぎに、動的に変更されるネットワーク識別情報に対応するための処理を説明する。
【０１０１】
（Ｓ１８０）ネットワーク識別情報管理部１３０のネットワーク識別情報発行部１３４は、ネットワーク識別情報を生成し、ネットワーク識別情報管理部１３０の接続処理部１３２に通知する。接続処理部１３２は、付加部３０の付加処理部３２に生成したネットワーク識別情報を通知する。
【０１０２】
（Ｓ１８１）付加部３０の付加処理部３２は、ネットワーク識別情報の変更通知を受けると、ネットワーク識別情報記憶部３４のネットワーク識別情報を新たなネットワーク識別情報で更新し、更新前のネットワーク識別情報と、更新されたネットワーク識別情報を、設定管理部５０に通知する。
【０１０３】
（Ｓ１８２）設定管理部５０は、更新前のネットワーク識別情報と、更新されたネットワーク識別情報を受け取ると、更新前のネットワーク識別情報と同一のネットワーク識別情報を有するユーザ情報を取得し、取得したユーザ情報のネットワーク識別情報を更新されたネットワーク識別情報で更新する。
【０１０４】
なお、ＩＰｖ６システムでは、付加部３０がＰＣやＰＤＡなどの機器内部に存在し、複数の付加部３０が存在している。複数の付加部３０で異なるネットワーク識別情報を保持すると、上記（Ｓ１００）〜（Ｓ１０２）の方法で、ユーザ識別情報と機器識別情報の特定ができないため、同ユーザが管理する機器１０の付加部３０には、同一のネットワーク識別情報を通知される。
【０１０５】
上記（Ｓ１８０）〜（Ｓ１８２）の処理によって、ネットワーク識別情報が動的に変更したときも、設定記憶部５０のユーザ情報が自動で更新されることによって、ユーザ識別情報と機器識別情報の関連付けることが可能となる。
【０１０６】
（実施の形態１１）
実施の形態１において、機器１０が設定済みであるか、機器１０の設定が完了したか、などの機器１０の状態や、システムの状態を通知する手段について、図１６を用いて説明する。
【０１０７】
構成は、設定管理部５０に、システムの状態や機器１０の状態を通知する通知部１５０が追加される。また、図１４にあるように、ユーザ２００に通知する情報として、設定記憶部７０に記憶されたユーザ情報に関連付けて、ユーザ状態情報として、記憶してもよい。
【０１０８】
また、図１５にあるように、設定記憶部７０に記憶された機器情報において、機器識別情報と、ユーザ識別情報に加えて、機器状態を表す機器状態情報を関連付けて、機器情報として、記憶してもよい。ここで、機器状態情報とは、機器１０が設定済みである設定済み状態、機器１０が設定を完了した設定完了状態、機器１０が接続中である接続中状態、機器１０の設定が未完了である設定未完了状態、ユーザ識別情報が関連付けられていないユーザ識別情報未対応状態など、機器１０に関する状態である。
【０１０９】
次に、機器状態やシステム状態を通知する処理を説明する。
【０１１０】
（Ｓ１９０）設定管理部５０は、設定記憶部７０に記憶された機器情報にある機器状態情報や、ユーザ情報に記載されたユーザ状態情報や、設定管理部５０が設定記憶部７０へ機器情報を登録する操作や、設定管理部５０が設定記憶部７０から機器情報を削除する操作などの状態情報や操作を、通知情報として取得する。Ｓ１９１へ遷移する。
【０１１１】
（Ｓ１９１）設定管理部５０は、通知情報を通知部１５０に通知し、通知部１５０は、ユーザ２００に通知する。
【０１１２】
なお、ユーザ２００への通知方法は、ｉモードなど携帯電話を用いたメールサービスを利用して、機器状態やユーザ状態が記載されたメールを送信する方法や、設定管理部５０の管理者が、ユーザ２００の電話番号宛に電話したり、ＦＡＸを送信して、機器状態やユーザ状態を連絡する方法や、機器状態やユーザ状態が記載された通知を郵送する方法などが考えられる。
【０１１３】
（Ｓ１９０）、（Ｓ１９１）の方法で、ユーザ２００は機器設定の状態を把握できる。
【０１１４】
さらに、機器状態、ユーザ状態を通知する別手段について、図１７を用いて説明する。構成は、図２に示した構成の機器１０の内部に、通知部２２を追加したものである。
【０１１５】
（Ｓ１９２）設定管理部５０は、設定記憶部７０に記憶された機器情報にある機器状態情報や、ユーザ情報に記載されたユーザ状態情報や、設定管理部５０が設定記憶部７０へ機器情報を登録する操作や、設定管理部５０が設定記憶部７０から機器情報を削除する操作などの状態情報や操作を、通知情報として取得する。Ｓ１９３へ移動する。
【０１１６】
（Ｓ１９３）設定管理部５０は、通知情報を付加部３０の付加処理部３２と機器１０の接続処理部１２を経由し、通知部２２に通知する。通知部２２は、通知情報をユーザ２００に通知する。
【０１１７】
なお、ユーザ２００への通知方法は、ＬＥＤや音声や音楽で通知する方法や、文字表示デバイスや映像表示デバイスに表示する方法や、振動させる方法などが考えられる。
【０１１８】
（Ｓ１９０）〜（Ｓ１９１）、（Ｓ１９２）〜（Ｓ１９３）の方法で、ユーザ２００は機器設定の状態を把握することができる。なお、（Ｓ１９０）〜（Ｓ１９１）、（Ｓ１９２）〜（Ｓ１９３）の双方を含む構成でもよい。
【０１１９】
（実施の形態１２）
ユーザ識別情報と機器識別情報を関連付ける図２とは異なる構成で実現する方法について、図１８を用いて説明する。まず、構成を説明する。
【０１２０】
機器１０とユーザ識別情報管理部１７０と設定管理部５０と設定記憶部７０から構成されるシステムであり、機器１０は接続を処理する接続処理部１２と機器識別情報を記憶する機器識別情報記憶部１６から構成される。ユーザ識別情報管理部１７０は、接続を処理する接続処理部１７２とユーザ識別情報を記憶するユーザ識別情報記憶部１７４から構成される。設定管理部５０は、設定記憶部７０に記憶させる図３で示したユーザ情報や図４で示した機器情報を取得、生成し、設定記憶部７０に記憶するよう指示し、設定記憶部７０は、ユーザ情報、機器情報を記憶する。
【０１２１】
つぎに、処理を説明する。
【０１２２】
（Ｓ２００）機器１０はネットワークに設置されると、機器１０の接続処理部１２は、ユーザ識別情報管理部１７０の接続処理部１７２に接続する。
【０１２３】
（Ｓ２０１）ユーザ識別情報管理部１７０の接続処理部１７２は、ユーザ識別情報記憶部１７４に記憶されたユーザ識別情報を取得し、機器１０の接続処理部１２に通知する。
【０１２４】
（Ｓ２０２）機器１０の接続処理部１２は、ユーザ識別情報を受け取ると、機器識別情報記憶部１６に記憶された機器識別情報とともに、設定管理部５０に通知する。
【０１２５】
（Ｓ２０３）設定管理部５０は、ユーザ識別情報と機器識別情報を関連付けて、機器情報として、設定記憶部７０に登録する。
【０１２６】
なお、ユーザ識別情報管理部１７０は、機器１０と同じネットワーク内であってもよいし、Ｇａｔｅｗａｙやルータやプロキシなどを介して接続する外部のネットワークにあってもよい。
【０１２７】
（Ｓ２００）〜（Ｓ２０３）の処理によって、ユーザ識別情報と機器識別情報を関連付けることができる。
【０１２８】
（実施の形態１３）
図１９、図３、図４を用いて、機器識別情報とユーザ識別情報を関連付けて、登録する実施の形態１、実施の形態１２と異なる方法について説明する。はじめに図１９を用いて構成を説明する。
【０１２９】
機器１０と設定管理部５０と設定記憶部７０と設定入力部１１０からなる。機器１０は、設定管理部５０と接続する接続処理部１２と、設定管理部情報を記憶し、接続処理部と接続する設定管理部情報記憶部１４と、機器識別情報を記憶し、接続処理部と接続する機器識別情報記憶部１６と、機器識別情報を提示する機器識別情報提示部２４からなる。設定記憶部７０は、図３で示したネットワーク識別情報とユーザ識別情報を関連付けたユーザ情報と、図４で示したユーザ識別情報と機器識別情報を関連付けた機器情報を記憶する。設定入力部１１０は、ユーザがユーザ識別情報を入力して、ユーザを特定した上でユーザの希望する情報を設定できる。
【０１３０】
次に、実施の形態１３の処理を説明する。
【０１３１】
（Ｓ３００）ユーザは、ユーザ識別情報と機器１０の機器識別情報提示部２４に提示された機器識別情報を、設定入力部１１０に通知する。設定入力部１１０は、ユーザ識別情報と機器識別情報が通知受理と、受理したユーザ識別情報と機器識別情報を、設定管理部５０に通知する。
【０１３２】
（Ｓ３０１）機器１０の接続処理部１２は、設定管理部情報記憶部１４に記憶された設定管理部情報を参照して、設定管理部５０に接続し、機器識別情報記憶部１６に記憶された機器識別情報を設定管理部５０に通知する。
【０１３３】
（Ｓ３０２）設定管理部５０は、設定入力部１１０から受け取った機器識別情報と、機器１０から受け取った機器識別情報が同じであるか判定し、同じであった場合は、機器１０の状態を取得し、機器の状態が所定の状態であるか判断する。正しい場合は、Ｓ３０３へ遷移し、正しくない場合はＳ３０４へ遷移する。
【０１３４】
（Ｓ３０３）受け取ったユーザ識別情報と、機器識別情報を関連付けて、機器情報として、設定記憶部７０に記憶させる。Ｓ３０４へ遷移する。
【０１３５】
（Ｓ３０４）終了する。
【０１３６】
なお、設定入力部１１０は、インターネットで利用されているＷｅｂサイトであってもよいし、携帯電話のＷＷＷ接続機能を利用した設定サイトであってもよいし、オペレータが受け付ける電話応対であってもよい。設定管理部５０と、設定入力部１１０と、設定記憶部７０は、同サーバ内などで実現されていてもよいし、個別であってもよい。
【０１３７】
また、機器状態は、ユーザが機器１０の電源をＯＦＦにしたり、電源をＯＮにしたり、機器１０とネットワークを接続するＬＡＮケーブルを機器１０のＬＡＮ接続装置から取り外したり、接続したりする操作であってもよい。また、機器１０に、スイッチやレバーやダイヤルやマイクなどのユーザ入力装置があり、この入力装置に与えられた操作指示であってもよい。また、これらの機器状態を複数組み合わせたものが、機器状態であってもよいし、これらの機器状態の個々の機器状態の持続時間や移行順序をルール化したものが機器状態であってもよい。なお、ユーザの指示を入力する設定入力部１１０に機器状態の操作方法や操作順序を提示し、ユーザが提示された操作方法や操作順序に従って操作してもよい。
【０１３８】
（実施の形態１４）
実施の形態１３において、ユーザが機器識別情報を取得とは、ユーザが五感を使って、機器識別情報を記憶し、設定入力部１１０に入力すること方法がある。
【０１３９】
なお、五感を使って機器識別情報を記憶する方法は、機器１０の表面に記載された機器識別情報を読み取る方法や、点字で記載された機器識別情報を触って検知する方法や、機器１０が発する音声や音を聞き取る方法などがある。
【０１４０】
（実施の形態１５）
なお、ユーザが機器識別情報提示から機器識別情報を取得し、設定入力部１１０に入力するには、携帯電話のカメラ機能を利用して、機器識別情報提示に示された機器識別情報が埋め込まれた２次元バーコードを読み取らせて、携帯電話のインターネット接続機能を利用して、設定サイトに接続、通知する方法などがある。
【０１４１】
（実施の形態１６）
実施の形態１３〜１５で示した方法では、機器１０が設定管理部５０に接続したときに、ユーザ識別情報と機器識別情報を関連付けて登録することを示しており、機器１０の設定のための作業を簡素化できるが、実際に機器設定までは至っていない。そこで、自動で設定する方法について説明する。
【０１４２】
設定記憶部７０には、ユーザ識別情報に関連付けて記憶された郵便番号や生年月日といったユーザ設定情報が記憶されている。本方法でユーザ識別情報と機器識別情報を関連付けると、ユーザ識別情報に関連付けて記憶されたユーザ設定情報を参照して、機器設定に登録する。
【０１４３】
（実施の形態１７）
実施の形態１６と異なる方法としては、設定管理部５０に、設定がすでに完了した機器１０の設定情報である機器設定情報が、機器識別情報と関連付けて記憶されているとする。
【０１４４】
実施の形態１３〜１５で示した方法で、ユーザ識別情報と機器識別情報を関連付けると、関連付けられたユーザ識別情報を用いて、他の機器情報から同ユーザが所有する機器１０の機器識別情報を取得し、取得した機器識別情報に関連付けて記憶された機器設定情報を参照して、新たな機器１０の機器設定情報として登録する。
【０１４５】
なお、機器設定を登録するのは、設定記憶部７０でもよいし、設定管理部５０が機器１０の接続処理部１２に機器設定情報を通知し、接続処理部１２が機器設定情報を記憶する機器設定情報記憶部に登録する方法が考えられる。
【０１４６】
上記の方法によって、機器１０を自動で設定することができる。
【０１４７】
（実施の形態１８）
複数の機器１０の機器設定情報を入力する方法について図１９を用いて説明する。実施の形態１３で説明した構成と同じである。次に、処理を説明する。
【０１４８】
（Ｓ３１０）ユーザが設定入力部１１０にユーザ識別情報を通知したのち、機器１０ａと機器１０ｂの機器識別情報を通知する。
【０１４９】
（Ｓ３１１）ユーザは機器１０ａ、機器１０ｂの状態を操作する。
【０１５０】
（Ｓ３１２）設定管理部５０は、機器１０ａと機器１０ｂの機器識別情報とユーザ識別情報を関連付けて記憶させる。
【０１５１】
（Ｓ３１３）設定入力部１１０は、機器１０ａと機器１０ｂの設定用ＧＵＩを表示する。
【０１５２】
（Ｓ３１４）設定入力部１１０に、機器設定情報を入力する。
【０１５３】
（Ｓ３１５）設定入力部１１０は、機器設定情報を設定管理部５０に通知し、設定管理部５０は、機器設定情報を機器識別情報に関連付けて、設定記憶部７０に記憶させる。
【０１５４】
上記（Ｓ３１０）〜（Ｓ３１５）の処理によって、複数の機器１０を同時に設定できる。
【０１５５】
（実施の形態１９）
ユーザが機器１０を他人に譲った場合に、機器識別情報を変更することで、セキュリティを高めるための方法を説明する。まず、図２０を用いて、構成について説明する。
【０１５６】
図１８において、機器１０の機器識別情報提示部２４が機器識別情報記憶部１６と接続されている。
【０１５７】
次に、機器識別情報の変更処理を説明する。
【０１５８】
（Ｓ３２０）ユーザ２００は、機器１０の機器識別情報提示部２４から機器識別情報を取得する。
【０１５９】
（Ｓ３２１）ユーザ２００は、設定入力部１１０からユーザ識別情報と、取得した機器識別情報を通知する。
【０１６０】
（Ｓ３２２）機器１０が設定管理部５０に通知されたユーザ識別情報と機器識別情報を通知する。
【０１６１】
（Ｓ３２３）ユーザ２００が機器状態を操作する。
【０１６２】
（Ｓ３２４）設定管理部５０は、通知された機器識別情報の機器状態の操作を取得し、所定の操作である場合は、機器識別情報とユーザ識別情報を関連付けて機器情報を生成し、生成した機器情報を設定記憶部７０に記憶させる。
【０１６３】
（Ｓ３２５）ユーザ２００は、設定入力部１１０から機器識別情報の変更を指示する。
【０１６４】
（Ｓ３２６）設定管理部５０は、機器識別情報を新たに生成し、更新前の機器識別情報で設定管理部５０に記憶された機器情報を、更新された機器識別情報に更新し、機器１０の接続処理部１２に生成した機器識別情報を通知する。
【０１６５】
（Ｓ３２７）機器１０の接続処理部１２は、受け取った機器識別情報で機器識別情報記憶部１６の機器識別情報を更新する。
【０１６６】
（Ｓ３２８）機器識別情報提示部２４は、機器識別情報記憶部１６に記憶された機器識別情報を参照して、機器識別情報を提示する。
【０１６７】
なお、提示手段は、変更する機器識別情報に対応できる、ＬＥＤパネルであったり、液晶画面であったり、音声や音を発するデバイスなどである。
【０１６８】
上記（Ｓ３２０）〜（Ｓ３２８）の処理によって、機器１０を他人に譲ったときの機器識別情報の変更ができて、個人情報漏洩などの課題に対するセキュリティが高まる。
【０１６９】
（実施の形態２０）
実施の形態１３において、ユーザ識別情報と機器識別情報の関連付けが完了しているか、未完了であるか、機器１０の設定情報が設定記憶部７０に記憶されているか、いないか、などのシステムや機器１０の状態を知ることができると、ユーザにとって機器１０の管理に有効である。システムや機器１０の状態（以降、システム状態と記す）を通知する方法について、図２１を用いて説明する。構成は、設定管理部５０に接続し、システム状態をユーザに通知する状態通知部１９０を追加する。
【０１７０】
次に、システム状態を通知する処理を説明する。
【０１７１】
（Ｓ３３０）設定管理部５０は、システム状態を状態通知部１９０に通知する。
【０１７２】
（Ｓ３３１）状態通知部１９０は、ユーザにシステム状態を通知する。
【０１７３】
なお、設定管理部５０が、状態通知部１９０に通知するタイミングは、システム状態が変更されたときであったり、機器１０が設定管理部５０に接続したときであったり、ユーザが設定入力部１１０にユーザ識別情報を通知したときであってもよい。なお、状態通知部１９０が、ユーザに通知する方法は、携帯電話のメール機能を使ったメールの送信であったり、ＦＡＸの送信であったり、ポケットベルであったり、通知の郵送であってもよい。
【０１７４】
（実施の形態２１）
実施の形態２０とは異なる方法で、システム状態を通知する方法について図２２を用いて説明する。機器１０に状態通知部２６を追加した構成となる。
【０１７５】
次に、システム状態の通知処理を説明する。
【０１７６】
（Ｓ３４０）設定管理部５０は、システム状態を機器１０の接続処理部１２に通知する。
【０１７７】
（Ｓ３４１）接続処理部１２は、システム状態を状態通知部２６に通知する。
【０１７８】
（Ｓ３４２）状態通知部２６は、ユーザにシステム状態を通知する。
【０１７９】
なお、設定管理部５０が、接続処理部１２に通知するタイミングは、システム状態が変更されたときであったり、機器１０が設定管理部５０に接続したときであったり、ユーザが設定入力部１１０にユーザ識別情報を通知したときであってもよい。  
【０１８０】
なお、ユーザへの通知方法は、ＬＥＤや音声や音楽で通知する方法や、文字表示デバイスや映像表示デバイスに表示する方法や、振動させる方法などが考えられる。
【０１８１】
上記（Ｓ３３０）〜（Ｓ３３１）、もしくは（Ｓ３４０）〜（Ｓ３４２）の方法により、ユーザはシステム状態を把握することができて、機器を設定するときに有効である。
【０１８２】
（実施の形態２２）
上記実施の形態１３では、悪意の人が設定入力部１１０に任意の機器識別情報を入力し、悪意の人が入力した機器識別情報を持つ機器１０の機器状態が偶然に操作されると、ユーザ識別情報と機器識別情報が関連付けられて、悪意の人が機器１０を設定できるといった問題がある。
【０１８３】
ユーザ識別情報と機器識別情報が関連付ける場合には、機器状態の操作が伴うので、悪意の人とユーザが同時に設定入力部１１０から指示して、同一の機器１０の設定を行う場合に、機器１０の機器状態を操作させないようにしたい。
【０１８４】
そこで、あるユーザが、設定入力部１１０にあるユーザ識別情報Ｕａと機器識別情報Ｋを入力し、次に、異なるユーザが、設定入力部１１０に異なるユーザ識別情報Ｕｂと機器識別情報Ｋを入力するとする。
【０１８５】
ユーザ識別情報Ｕａを入力したユーザの設定入力部１１０ａには、機器状態の操作を催促する指示が提示される。一方で、ユーザ識別情報Ｕｂを入力したユーザの設定入力部１１０ｂには、図２３に例を示すように機器状態を変更しないように指示が表示される。
【０１８６】
この状態で、機器状態が操作されると、ユーザ識別情報Ｕａと機器識別情報Ｋが関連付けられるとする。
【０１８７】
一人目のユーザ（ユーザ識別情報Ｕａ）が悪意の人であり、二人目のユーザ（ユーザ識別情報Ｕｂ）が真のユーザである場合には、機器状態を操作できる真のユーザは、機器状態を操作しないので、ユーザ識別情報Ｕａは、機器識別情報Ｋと関連付けられない。
【０１８８】
一人目のユーザ（ユーザ識別情報Ｕａ）が真のユーザであり、二人目のユーザ（ユーザ識別情報Ｕｂ）が悪意の人の場合には、真のユーザは、機器状態を操作し、ユーザ識別情報Ｕａと機器識別情報Ｋが関連付けられる。
【０１８９】
上記の対応によって、悪意の人によるなり済ましを防止することができる。
【０１９０】
（実施の形態２３）
実施の形態１３で、ユーザ識別情報と機器識別情報が関連付けられた。これによって、ユーザが機器１０を容易に設定する方法について、図１９を用いて説明する。
【０１９１】
（Ｓ３５０）（Ｓ３００）〜（Ｓ３０２）の処理が完了した状態で、ユーザはユーザ識別情報を設定入力部１１０に通知する。
【０１９２】
（Ｓ３５１）設定入力部１１０は、設定管理部５０にユーザ識別情報を通知する。
【０１９３】
（Ｓ３５２）設定管理部５０は、受け取ったユーザ識別情報と同一のユーザ識別情報で記憶された機器情報を設定記憶部７０から取得する。
【０１９４】
（Ｓ３５３）設定管理部５０は、取得した機器情報に記載された機器識別情報を設定入力部１１０に通知する。
【０１９５】
（Ｓ３５４）設定入力部１１０は、機器識別情報をリスト表示する。
【０１９６】
なお、ユーザ識別情報に対応する機器識別情報が複数あってもよい。また、機器識別情報の代わりに、機器名であってもよいし、ユーザが指定した機器の呼び名であってもよい。
【０１９７】
上記（Ｓ３５０）〜（Ｓ３５３）の処理によって、ユーザは機器の設定をするときに、機器１０を容易に選択することができる。
【０１９８】
（実施の形態２４）
（Ｓ３００）〜（Ｓ３０２）によるユーザ識別情報と機器識別情報の関連付けが完了したのちは、ユーザによるユーザ識別情報の通知によって、機器１０を指定し、機器１０の設定情報を機器識別情報に関連づけて設定管理部５０に登録することができる。また、機器１０が設定管理部５０に接続したときに、機器識別情報を通知すると、設定管理部５０は、受け取った機器識別情報に関連付けられた機器１０の設定情報を設定記憶部７０から取得して、機器１０に通知することができる。ユーザが、設定入力部１１０から機器１０の設定情報を設定するときに、以前にすでに同機器１０の設定情報を登録済みであるかどうか、以前、ユーザが設定した機器１０の設定情報を、機器１０がすでに取得済みであるかどうか、などの情報が判明すると、ユーザは設定内容の考案に参考になる。そこで、機器情報の機器識別情報に関連付けて、機器設定情報の登録が完了しているかどうかを示す設定登録情報や、機器設定情報の機器への通知が完了しているかどうかを示す設定通知情報を、図２４にあるように機器情報に追加して記憶する。
【０１９９】
なお、機器１０が設定管理部５０に接続し、設定管理部５０が設定記憶部７０に記憶された機器設定情報を機器１０に通知すると、機器設定情報を削除してもよい。
【０２００】
なお、機器１０が設定管理部５０に通知するタイミングは、ネットワークに接続されたときでもよいし、ネットワークに接続された状態で、定期的に設定管理部５０に通知してもよいし、機器１０にユーザの指示を受け付けるボタンなどのユーザ指示部があって、このユーザ指示部から、ユーザの指示を受け付けたときに、設定管理部５０に通知してもよい。
【産業上の利用可能性】
【０２０１】
本発明にかかる機器設定システムは、ユーザ識別情報と機器識別情報の関連付ける機能を有し、設定用Ｉ／Ｆのない機器の設定手段等として有用である。
【図面の簡単な説明】
【０２０２】
【図１】本発明の一実施の形態を示すシステム構成図
【図２】本発明の一実施の形態を示すシステム構成図
【図３】設定記憶部に記憶されるユーザ情報の一例を示す例示図
【図４】設定記憶部に記憶される機器情報の一例を示す例示図
【図５】ルータ装置を用いたときの本発明の一実施の形態を示すシステム構成図
【図６】ＩＰｖ６技術に応用したときの本発明の一実施の形態を示すシステム構成図
【図７】本発明の一実施の形態を示すシステム構成図
【図８】本発明の一実施の形態を示すシステム構成図
【図９】本発明の一実施の形態を示すシステム構成図
【図１０】設定記憶部に記憶される機器情報の一例を示す例示図
【図１１】設定管理部にて行われる機器設定情報を自動で生成するフローチャート
【図１２】本発明の一実施の形態を示すシステム構成図
【図１３】本発明の一実施の形態を示すシステム構成図
【図１４】設定記憶部に記憶されるユーザ情報の一例を示す例示図
【図１５】設定記憶部に記憶される機器情報の一例を示す例示図
【図１６】本発明の一実施の形態を示すシステム構成図
【図１７】本発明の一実施の形態を示すシステム構成図
【図１８】本発明の一実施の形態を示すシステム構成図
【図１９】本発明の一実施の形態を示すシステム構成図
【図２０】本発明の一実施の形態を示すシステム構成図
【図２１】本発明の一実施の形態を示すシステム構成図
【図２２】本発明の一実施の形態を示すシステム構成図
【図２３】通知画面の例示図
【図２４】設定記憶部に記憶される機器情報の一例を示す例示図
【符号の説明】
【０２０３】
１０    機器
１２    接続処理部
１４    設定管理部情報記憶部
１６    機器識別情報記憶部
１８    ＩＰアドレス記憶部
２０    ユーザ指示受理部
２２    通知部
２４    機器識別情報提示部
２６    状態通知部
３０    付加部
３２    付加処理部
３４    ネットワーク識別情報記憶部
３６    ＩＰアドレス記憶部
５０    設定管理部
７０    設定記憶部
９０    設定端末
９２    接続処理部
９４    設定入力部
９６    ＩＰアドレス記憶部
１１０    設定入力部
１３０    ネットワーク識別情報管理部
１３２    接続処理部
１３４    ネットワーク識別情報発行部
１５０    通知部
１７０    ユーザ識別情報管理部
１７２    接続処理部
１７４    ユーザ識別情報記憶部
１９０    状態通知部
２００    ユーザ
【図１】
2005173865.tif 000003
【図２】
2005173865.tif 000004
【図３】
2005173865.tif 000005
【図４】
2005173865.tif 000006
【図５】
2005173865.tif 000007
【図６】
2005173865.tif 000008
【図７】
2005173865.tif 000009
【図８】
2005173865.tif 000010
【図９】
2005173865.tif 000011
【図１０】
2005173865.tif 000012
【図１１】
2005173865.tif 000013
【図１２】
2005173865.tif 000014
【図１３】
2005173865.tif 000015
【図１４】
2005173865.tif 000016
【図１５】
2005173865.tif 000017
【図１６】
2005173865.tif 000018
【図１７】
2005173865.tif 000019
【図１８】
2005173865.tif 000020
【図１９】
2005173865.tif 000021
【図２０】
2005173865.tif 000022
【図２１】
2005173865.tif 000023
【図２２】
2005173865.tif 000024
【図２３】
2005173865.tif 000025
【図２４】
2005173865.tif 000026